(57)【要約】【課題】デザイン性に優れ、新規の音色からなる鈴の提供を目的とする。【解決手段】網目構造の共鳴体部を備え、前記網目構造を形成した網目部は複数のフレーム部を一体的に交差させて目開き部を形成したものであることを特徴とする。【選択図】  図１
2019209102.tif 000002
【特許請求の範囲】
【請求項１】
網目構造の共鳴体部を備え、
前記網目構造を形成した網目部は複数のフレーム部を一体的に交差させて目開き部を形成したものであることを特徴とする鈴。
【請求項２】
前記共鳴体部は開口部を有することを特徴とする請求項１記載の鈴。
【請求項３】
前記共鳴体部は略椀形状であることを特徴とする請求項２記載の鈴。
【発明の詳細な説明】
【技術分野】
【０００１】
本発明は、仏りんやベル等として使用でき、デザイン性に優れた鈴に関する。
【背景技術】
【０００２】
本出願人は、葬祭用具として用いられる仏りんや、呼び鈴等として用いられるベルにおいて、小型化が可能であったり、新たな音色が出る鈴を提供している（特許文献１，２）。
特許文献１は、りん側部にスリット部を設けたものであり、特許文献２は、りん側部に貫通孔を設けたものである。
これらは、小型でこれまでにない音色が得られる点で優れている。
本発明は、さらに新しい音色や斬新なデザインを検討した結果、得られたものである。
【先行技術文献】
【特許文献】
【０００３】
【特許文献１】特開２０１１−２５３１７１号公報
【特許文献２】特開２０１１−１０１７８４号公報
【発明の概要】
【発明が解決しようとする課題】
【０００４】
本発明は、デザイン性に優れ、新規の音色からなる鈴の提供を目的とする。
【課題を解決するための手段】
【０００５】
本発明に係る鈴は、網目構造の共鳴体部を備え、前記網目構造を形成した網目部は複数のフレーム部を一体的に交差させて目開き部を形成したものであることを特徴とする。
ここで、共鳴体部とは、打鈴部材等で叩くと、音が鳴るものをいう。
【０００６】
共鳴体部に網目構造を有する部分が備えられていれば、この共鳴体部の形状や構造に制限はない。
共鳴体部は、打鈴することで音が鳴るようになっていれば、その支持構造に制限はない。
例えば、支持台から立設した支持部材に支持される態様、上方から垂下した支持部材に吊り下げる態様、りん座布団等に載置する態様等が例として挙げられる。
【０００７】
本発明において、共鳴体部は開口部とを有する略椀形状であってもよい。
ここで略椀形状とは、外形が球面形状のものや釣鐘形状のもの等、内側に空間部を有するものをいう。
本発明において、網目部の構造や形状に制限がない。
網目部が複数のフレーム部を一体的に交差させて複数の目開き部を形成したものであれば、目開き部の形状は菱形，長方形，正方形，三角形，円形状等、各種形状になるように形成してあってよい。
【発明の効果】
【０００８】
本発明に係る鈴は、網目構造を有する共鳴体部としたので、軽量でありながら余韻のある鈴となる。
また、網目形状を変えることで、いろいろなデザインを楽しむことができる。
網目を通して内部が見え、光沢のある金属材料で製作すると、神秘的な外観となる。
本発明に係る鈴は、りん棒等の打鈴部材にて音を鳴らすものに適している。
【図面の簡単な説明】
【０００９】
【図１】本発明に係る鈴の構造例を示し、（ａ）は正面図、（ｂ）は斜視図を示す。
【図２】鈴の断面図を示し、（ａ）は共鳴体部を支持部材に一体的に連結した例、（ｂ）は共鳴体部を支持部材にビス等にて連結した例を示す。
【図３】（ａ）はベルト部の幅を相対的に小さくした例を示し、（ｂ）は支持台の底面を緩やかな凸面形状にした例を示す。
【図４】横方向のフレームと縦方向のフレームとを格子状に連結した共鳴体部の例を示す。
【図５】上方が開口した椀形状の共鳴体部にした例を示す。
【図６】音響試験に用いたサンプルの例を示す。（ａ）は本発明に係る鈴Ａを示し、（ｂ）は比較に用いた従来の目開き部を有していない鈴Ｂを示す。
【図７】波形分析チャートを示す。（ａ）はＡ：本発明に係る鈴を示し、（ｂ）はＢ：比較に用いた鈴を示す。
【図８】スペクトル分析チャートを示す。（ａ）はＡ：本発明に係る鈴を示し、（ｂ）はＢ：比較に用いた鈴を示す。
【図９】比較評価に用いたサンプルを示す。（Ｓ１）は目開き部の無いもの、（Ｓ２）はベルト部の幅を広くとり、目開き部が少ないもの、（Ｓ３）は目開き部を多く形成したものを示す。
【図１０】評価に用いた打鈴装置の例を示す。
【図１１】サンプル（Ｓ１）の音圧スペクトルチャートを示す。
【図１２】サンプル（Ｓ２）の音圧スペクトルチャートを示す。
【図１３】サンプル（Ｓ３）の音圧スペクトルチャートを示す。
【発明を実施するための形態】
【００１０】
本発明に係る鈴の例を以下図に基づいて説明するが、仏りんや各種ベルに適用できる。
図１に外観図、図２に断面図を示す。
本実施例は、支持台２１から立設した支持部材２２の上端部２２ｂに共鳴体部１０を連結した例になっている。
図２（ａ）は、支持部材２２の上端部２２ｂに共鳴体部１０の項部１４の裏面部を一体的に連結した例であり、図２（ｂ）は支持部材２２の上端部２２ｂとビス部材２３の間に、共鳴体部１０の項部１４を挟み込むように連結した例である。
この連結部は、Ｏリング等の弾性部材を介したり、スプリング等の弾性部材に連結してもよい。
また、共鳴体部１０の項部１４の裏面部を支持部材２２の上端部２２ｂに、やじろべえのように載置してもよい。
支持部材２２の下端部２２ａは、支持台２１にねじ止めした例になっている。
共鳴体部の下端と支持台２１の上面との間には、所定の隙間ｄを有している。
支持台２１の底部２１ａは、図１（ａ）に示すように平坦部に形成してもよく、図３（ｂ）に示すように緩やかな凸面部２１ｂにすることで、左右に揺動するようにしてもよい。
【００１１】
本発明にて特徴的なのは、共鳴体部１０に網目構造を有する部分を設けた点にある。
図１に示した実施例は、下側が開口した開口部からなる逆さお椀形状の共鳴体部１０とした例である。
お椀の開口部に沿って、帯状からなるリング形状のベルト部１１を形成し、項部１４からこのベルト部１１に向けて複数のフレーム部１２を交互に交差させながら、放射状に連結した例になっている。
これにより、フレーム部１２が交互に交差してできた菱形形状の目開き部１３と、ベルト部１１及びフレーム部１２にて形成された三角形状の目開き部１３ａとを有する。
この目開き部の形状に制限はなく、例えば図４に示すように横フレーム１２ａと縦フレーム１２ｂとにて格子状に形成する等、いろいろな形状が採用される。
【００１２】
このような共鳴体部１０を採用したことにより、例えば打鈴部材にてベルト部１１の側部を叩くと、その振動がベルト部１１からフレーム部１２に伝わる。
ベルト部１１がフレーム部１２の揺れを伴って振動するので、従来にない音色が得られる。
また、振動の減衰が遅くなり、余韻が長くなる。
従って、図３に示すようにベルト部１１の幅Ｗの寸法を変えることで、共鳴音の調整が可能になる。
フレーム１２の交差部及びベルト部を一体的に形成することで振動の伝達が速く、共鳴性に優れる。
【００１３】
本発明に係る共鳴体部１０は、上記のように支持部材２２の上端部に載置するように支持してもよく、例えば各種支持部材の下端側に吊り下げるように支持してもよい。
また、図５に示すように上部が開口したお椀形状にし、底部１５をりん座布団等に載置してもよい。
【００１４】
本発明に係る鈴にあっては、共鳴体部１０に網目構造を有しているので、デザイン性に優れる。
共鳴体部の材質としては金属が好ましく、プラチナ，金，銀等の貴金属や、黄銅等の銅合金が例として挙げられる。
貴金属を用いると、デザイン性に優れたフレーム部１２の形状及び目開き部１３から内部が見えることにより、高級感がある。
よって、装飾置物としても利用できる。
【００１５】
次に、音響試験を実施したので、以下説明する。
図６に示した本発明に係る鈴Ａと比較のために、従来の目開き部の無い鈴Ｂとを白金（Ｐｔ９５０）を用いて製作し、以下の条件にて試験評価した。
（１）測定器
・マイクロホン：ブリュエル・ケアー社  Ｔｙｐｅ４１９０
・分析器：ブリュエル・ケアー社  ＰＵＬＳＥ  Ｔｙｐｅ３１６０−Ａ−０４２
・分析ソフトウェア：ブリュエル・ケアー社  ＰＵＬＳＥ  ＬａｂＳｈｏｐ
・測定点：水平方向３０ｃｍの距離における高さ３０ｃｍの位置
（２）測定方法
＜残響時間＞
図６に示した鈴Ａ，Ｂを打鈴し、その後の３秒から１５秒までの１／３オクターブバンドレベルの変化から残響時間（ＲＴ６０）を求めた。
＜波形分析＞
打鈴後のＡ特性音圧レベルの変化を計測した。
＜スペクトル分析＞
３回の打鈴による平均値を計測した。
（３）試験評価結果
＜残響時間＞
本発明に係る鈴Ａの残響時間が２３．２秒であったのに対して、比較に用いた鈴Ｂの残響時間は、１５．８秒であった（１／３オクターブバンド中心周波数３１５０Ｈｚ）。
＜波形分析＞
図７にＡ特性音圧レベルの打鈴後の時間経過をチャートに示す。
（ａ）が本発明に係る鈴Ａであり、（ｂ）が比較に用いた鈴Ｂである。
残響時間及び波形分析から、本発明に係る鈴Ａは音圧の低下がサンプルＢに対して、緩やかであり、残響時間が長いことが明らかになった。
＜スペクトル分析＞
分析チャートを図８に示す。
（ａ）は本発明に係る鈴Ａのスペクトルを示し、（ｂ）は比較に用いた鈴Ｂのスペクトルを示す。
本発明に係る鈴Ａは、比較に用いた鈴Ｂよりもより多くの周波数域にて、高い音圧レベルのピークを示すことから、従来の鈴では得られない新規の音色が得られることが明らかになった。
【００１６】
次に目開き部の多少による音色の変化を調査した。
図９に製作したサンプルの写真を示す。
それぞれ同じ大きさのお椀型の鈴を作成し、目開き部の数だけを変えた。
サンプル（Ｓ１）は全く目開き部がないもの、（Ｓ２）は開口部側に幅広のベルト部を形成したもの、（Ｓ３）はベルト部を殆ど無くして、できるだけ多くの目開き部を形成した例である。
図１０に打鈴装置の例を示す。
同じ強さで打鈴できるように打鈴球を回動自在に吊り下げ、所定の角度、例えば９０°まで持ち上げ、手を離した。
そのときの横軸に音の周波数（Ｈｚ）をとり、縦軸に音圧（Ｐａ）を示したスペクトルチャートを図１１〜図１３に示す。
目開き部が全くないサンプル（Ｓ１）と、目開き部が少ないサンプル（Ｓ２）及び目開き部が多いサンプル（Ｓ３）を比較すると、目開き部の多少によりスペクトルのピーク周波数が変化するだけでなく、色々なスペクトルが出現し、音色が変化することが分かる。
【符号の説明】
【００１７】
１０      共鳴体部
１１      ベルト部
１２      フレーム部
１３      目開き部
１４      項部
２１      支持台
２１ａ    底部
２２      支持部材
【図１】
2019209102.tif 000003
【図２】
2019209102.tif 000004
【図３】
2019209102.tif 000005
【図４】
2019209102.tif 000006
【図５】
2019209102.tif 000007
【図６】
2019209102.tif 000008
【図７】
2019209102.tif 000009
【図８】
2019209102.tif 000010
【図９】
2019209102.tif 000011
【図１０】
2019209102.tif 000012
【図１１】
2019209102.tif 000013
【図１２】
2019209102.tif 000014
【図１３】
2019209102.tif 000015